(57)【特許請求の範囲】
【請求項１】
Ｎ個（Ｎは２以上の自然数）の情報読取手段により記録ディスク上に形成されているＮ個の隣接した螺旋状のトラック各々から同時に情報データを読み取ってこれを再生する記録情報再生方法であって、
前記情報読取手段による前記記録ディスク１周分の情報読み取り動作と、前記情報読取手段を前記情報データの最終トラックから先頭トラックに向う方向に（Ｎ＋１）トラックジャンプせしめる動作と、を交互に繰り返して実行することを特徴とする記録情報再生方法。
【請求項２】
Ｎ個（Ｎは２以上の自然数）の情報読取手段により記録ディスク上に形成されているＮ個の隣接した螺旋状のトラック各々から同時に情報データを読み取ってこれを再生する記録情報再生方法であって、
前記記録ディスクを逆回転させつつ、前記情報読取手段による前記記録ディスク１周分の情報読み取り動作と、前記情報読取手段を前記情報データの先頭トラックから最終トラックに向う方向に（Ｎ＋１）トラックジャンプせしめる動作と、を交互に繰り返して実行することを特徴とする記録情報再生方法。
【請求項３】
記録ディスクに形成されている螺旋状のトラックに記録されている情報データを再生する記録情報再生装置であって、
前記記録ディスク上に形成されているＮ個（Ｎは２以上の自然数）の隣接した前記トラック各々から同時に情報データを読み取って読取信号を得る情報読取手段と、
前記読取信号を時間的に逆方向から復調することにより前記情報データの再生を行う情報データ反転再生手段と、
前記記録ディスクを逆回転駆動せしめると共に、前記情報読取手段による前記記録ディスク１周分の情報読み取り動作と、前記情報読取手段を前記情報データの先頭トラックから最終トラックに向う方向に（Ｎ＋１）トラックジャンプせしめる動作とを交互に繰り返して実行する制御手段と、を有することを特徴とする記録情報再生装置。
【発明の詳細な説明】
【０００１】
【発明の属する技術分野】
本発明は、記録媒体から記録情報の再生を行う方法及び再生装置に関する。
【０００２】
【従来の技術】
複数の情報読取手段を用いることにより、互いに隣接する複数の記録トラックから同時に記録情報の読み取りを行って高速な情報再生を実現するようにした記録情報再生装置が知られている。
図１は、３つの情報読取手段を有するピックアップを備えた記録情報再生装置による従来の記録情報再生方法を示す図である。
【０００３】
尚、図１においては、記録ディスク上に螺旋状に形成されている１本の記録トラックを、ディスク内周側から１周分毎にトラック１、２、３・・・と区分けして示している。
先ず、図１（ａ）において、ピックアップ１０に搭載されている３つの読取手段Ａ〜Ｃ各々は、記録ディスク上において互いに隣接している３つのトラック１〜３各々に対して情報読み取りを開始する。ここで、記録ディスクが１回転してピックアップ１０が図１（ｂ）に示される位置に到達すると、読取手段Ａ〜Ｃ各々によるトラック１〜３からの情報読み取りが完了する。
【０００４】
次に、トラック４〜６各々からの情報読み取りを行うべく、ピックアップ１０を図１（ｂ）の位置から２トラック分だけディスク外周方向においてトラックジャンプさせる。この際、ピックアップ１０がトラックジャンプしている間も記録ディスクは回転しているので、ジャンプ後のピックアップ１０の位置は、前回の読取開始位置よりも先の位置、すなわち、図１（ｃ）に示される位置になる。
【０００５】
次に、この図１（ｃ）に示される位置から再びディスク１回転分だけ通常の読み取り動作を実施する。ここで、かかる図１（ｃ）に示される位置から記録ディスクが１回転してピックアップ１０が図１（ｄ）に示される位置に到達すると、読取手段Ａ〜Ｃ各々によるトラック４〜６各々からの情報読み取りが完了する。
以下、上述した如き動作、すなわち、ディスク１回転分の情報読み取り動作と、トラックジャンプ動作とを交互に繰り返し実行することにより、ディスク１回転毎に３トラック分づつの情報読み取りを行うのである。
【０００６】
しかしながら、上記ピックアップ１０がトラックジャンプしている間も記録ディスクは回転しているので、かかるピックアップ１０がトラックジャンプした直後の位置は、図１（ｃ）に示されるように、前回の読取開始位置よりも斜線部の区間だけ読み取り方向に進んだものとなる。よって、この図１（ｃ）に示される斜線部の区間での読み取りは実施されず、この区間の情報が欠落してしまうのである。そこで、従来の再生方法においてはこれを補うべく、再度、同一トラック（図１においてはトラック４）を読み取るようにしていた。従って、効率の良い高速情報再生を行うことが出来ないという問題があった。
【０００７】
【発明が解決しようとする課題】
本発明は、かかる問題を解決せんとして為されたものであり、記録媒体から高速に情報再生を行うことが出来る記録情報再生方法及び記録情報再生装置を提供することを目的とする。
【０００８】
【課題を解決するための手段】
請求項１記載による記録情報再生方法は、Ｎ個（Ｎは２以上の自然数）の情報読取手段により記録ディスク上に形成されているＮ個の隣接した螺旋状のトラック各々から同時に情報データを読み取ってこれを再生する記録情報再生方法であって、前記情報読取手段による前記記録ディスク１周分の情報読み取り動作と、前記情報読取手段を前記情報データの最終トラックから先頭トラックに向う方向に（Ｎ＋１）トラックジャンプせしめる動作と、を交互に繰り返して実行する。
【０００９】
又、請求項２記載による記録情報再生方法は、Ｎ個（Ｎは２以上の自然数）の情報読取手段により記録ディスク上に形成されているＮ個の隣接した螺旋状のトラック各々から同時に情報データを読み取ってこれを再生する記録情報再生方法であって、前記記録ディスクを逆回転させつつ、前記情報読取手段による前記記録ディスク１周分の情報読み取り動作と、前記情報読取手段を前記情報データの先頭トラックから最終トラックに向う方向に（Ｎ＋１）トラックジャンプせしめる動作と、を交互に繰り返して実行する。
【００１０】
又、請求項３記載による記録情報再生装置は、記録ディスクに形成されている螺旋状のトラックに記録されている情報データを再生する記録情報再生装置であって、前記記録ディスク上に形成されているＮ個（Ｎは２以上の自然数）の隣接した前記トラック各々から同時に情報データを読み取って読取信号を得る情報読取手段と、前記読取信号を時間的に逆方向から復調することにより前記情報データの再生を行う情報データ反転再生手段と、前記記録ディスクを逆回転駆動せしめると共に、前記情報読取手段による前記記録ディスク１周分の情報読み取り動作と、前記情報読取手段を前記情報データの先頭トラックから最終トラックに向う方向に（Ｎ＋１）トラックジャンプせしめる動作とを交互に繰り返して実行する制御手段とを有する。
【００１１】
【発明の実施の形態】
図２は、本発明による記録情報再生装置の構成を示す図である。
図２において、ピックアップ２０には３つの読取手段ａ〜ｃが搭載されている。これら読取手段ａ〜ｃ各々は、スピンドルモータ２２によって回転駆動される記録ディスク２３上に形成されている３つのトラック各々から同時に記録情報の読み取りを行う。尚、記録ディスク２３には、１本の記録トラックが螺旋状に形成されているものであるが、本実施例においては、この１本の記録トラックをディスク１周分毎に１つのトラックと捉えて説明するものとする。この際、かかる記録トラックには、画像データ及び音声データのように予めデータブロックの先頭トラック及び最終トラックとが決まっている情報データが記録されているものとする。
【００１２】
読取手段ａは、かかる記録ディスク２３の１つのトラックから記録情報の読み取りを行って得られた読取信号を情報データ再生回路２４ａに供給する。情報データ再生回路２４ａは、供給された読取信号を２値のディジタル信号に変換し、これを復調することにより元の情報データを再生してこれをデータメモリ２５ａに供給する。データメモリ２５ａは、かかる情報データ再生回路２４ａから供給されてくる情報データを順次書き込んで記憶する。又、データメモリ２５ａは、この記憶した情報データをＣＰＵバス３０を介して供給された読出指令信号に応じて順次読み出し、これを誤り訂正回路２４５に供給する。
【００１３】
読取手段ｂは、記録ディスク２３の１つのトラック（読取手段ａが読み取りを行っているトラックの隣接トラック）から記録情報の読み取りを行って得られた読取信号を情報データ再生回路２４ｂに供給する。情報データ再生回路２４ｂは、供給された読取信号を２値のディジタル信号に変換し、これを復調することにより元の情報データを再生してこれをデータメモリ２５ｂに供給する。データメモリ２５ｂは、かかる情報データ再生回路２４ｂから供給されてくる情報データを順次書き込んで記憶する。又、データメモリ２５ｂは、この記憶した情報データをＣＰＵバス３０を介して供給された読出指令信号に応じて順次読み出し、これを誤り訂正回路２４５に供給する。
【００１４】
読取手段ｃは、記録ディスク２３の１つのトラック（読取手段ｂが読み取りを行っているトラックの隣接トラック）から記録情報の読み取りを行って得られた読取信号を情報データ再生回路２４ｃに供給する。情報データ再生回路２４ｃは、供給された読取信号を２値のディジタル信号に変換し、これを復調することにより元の情報データを再生してこれをデータメモリ２５ｃに供給する。データメモリ２５ｃは、かかる情報データ再生回路２４ｃから供給されてくる情報データを順次書き込んで記憶する。又、データメモリ２５ｃは、この記憶した情報データをＣＰＵバス３０を介して供給された読出指令信号に応じて順次読み出し、これを誤り訂正回路２４５に供給する。
【００１５】
誤り訂正回路２４５は、上記データメモリ２５ａ〜２５ｃ各々から順次読み出されてくる情報データに対して誤り訂正処理を行い、この誤り訂正処理の為された情報データを再生情報データとして出力する。
尚、上記情報データ再生回路２４ａ〜２４ｃ各々は、互いに同一内部構成を有するものでありこれを図３に示す。
【００１６】
図３において、２値化回路２４０は、ピックアップ２０の読取手段から供給されるアナログの読取信号を例えば所定の敷値をもって２値のシリアルな再生ディジタル信号に変換し、これを同期検出回路２４１及びシリアル・パラレル変換回路２４２各々に供給する。尚、かかる２値化回路２４０としては、かかる読取信号をＡ／Ｄ変換してサンプル値化し、このサンプル値に対してビタビ復号を行って最も確からしい２値の再生ディジタル信号を得るような構成としても良い。同期検出回路２４１は、かかる再生ディジタル信号の物理セクタ中の各々から同期信号を検出した場合、その同期信号を検出している期間中だけリセット信号を発生し、これをシリアル・パラレル変換回路２４２及び分周カウンタ２４４各々に供給する。シリアル・パラレル変換回路２４２は、上記２値化回路２４０から供給されてくるシリアルな再生ディジタル信号を例えば１６ビットパラレルの再生ディジタル信号に変換し、これをメモリレジスタ２４３に供給する。尚、シリアル・パラレル変換回路２４２は、上記リセット信号が供給されている間はその記憶内容をリセットする。すなわち、シリアル・パラレル変換回路２４２は、再生ディジタル信号中から同期信号部を省いたデータ部のみを取り込み、これをパラレルデータに変換するのである。分周カウンタ２４４は、供給されてくるクロック信号のクロック周波数を例えば１／１６に分周し、この分周クロック信号をメモリレジスタ２４３に供給する。メモリレジスタ２４３は、かかる分周クロック信号に応じて上記シリアル・パラレル変換回路２４２から供給された１６ビットパラレルの再生ディジタル信号を取り込んで記憶し、これを８／１６復調器２４４に供給する。８／１６復調器２４４は、かかる再生ディジタル信号に対して８／１６復調を施すことにより元の情報データを復元してこれを出力する。
【００１７】
図２におけるスピンドルモータ２２は、ＣＰＵバス３０を介して供給される正回転指令信号又は逆回転指令信号に応じた回転方向にて記録ディスク２３の回転駆動を行う。スライダ機構２６は、ＣＰＵバス３０を介して供給された位置制御信号、又はジャンプ指令信号に応じたディスク半径方向の位置に、上記ピックアップ２０を移動せしめる。
【００１８】
ＣＰＵバス３０には、本発明による記録情報再生方法に基づくソフトウェアが予め記憶されているＲＯＭ（リードオンリメモリ）３１、かかるソフトウェアに従って上述した如き各種指令信号をＣＰＵバス３０上に送出して再生制御を為すＣＰＵ（中央処理装置）３２、及びＲＡＭ（ランダムアクセスメモリ）３３が夫々接続されている。
【００１９】
以下に、かかる構成によって実施される記録ディスク２３からの情報再生動作についてを、図４及び図５に示されるピックアップの移動動作を参照しつつ説明する。
尚、図４及び図５は、記録ディスク２３に記録されている情報データブロックＡ（最終トラック：１８）を読み取ってこれを再生する際のピックアップ２０の動作を示す図である。
【００２０】
先ず、ＣＰＵ３２は、上記情報データブロックＡの最終トラック１８の先頭位置にピックアップ２０を移送させるべき位置制御信号をＣＰＵバス３０を介してスライダ機構２６に供給する。スライダ機構２６は、かかる位置制御信号に応じて、図４（ａ）に示されるが如き、情報データブロックＡの最終トラック１８の先頭位置にピックアップ２０を移送する。ここで、ＣＰＵ３２は、スピンドルモータ２２を正回転させるべき正回転指令信号をＣＰＵバス３０を介してスピンドルモータ２２に供給する。かかる正回転指令信号に応じてスピンドルモータ２２は、記録ディスク２３を正回転駆動する。これにより、ピックアップ２０に搭載されている読取手段ａはトラック１６、読取手段ｂはトラック１７、読取手段ｃはトラック１８各々に対し、ディスク１回転分だけの情報読取を実施する。読取手段ａ〜ｃ各々は、この際得られた読取信号を夫々情報データ再生回路２４ａ、２４ｂ、及び２４ｃ各々に供給する。情報データ再生回路２４ａ〜２４ｃ各々は、供給された読取信号を２値のディジタル信号に変換してこれを復調することにより元の情報データを再生する。データメモリ２５ａ、２５ｂ、及び２５ｃは、情報データ再生回路２４ａ、２４ｂ、及び２４ｃ各々によって再生された各情報データを順次書き込んで記憶して行く。従って、データメモリ２５ａにはトラック１６の読み取りによって得られた情報データ、データメモリ２５ｂにはトラック１７の読み取りによって得られた情報データ、更に、データメモリ２５ｃにはトラック１８の読み取りによって得られた情報データが夫々書き込まれる。
【００２１】
ここで、記録ディスク２３が１回転して図４（ｂ）に示されるが如き位置にピックアップ２０が到達すると、ＣＰＵ３２は、ピックアップ２０をディスク内周方向、つまり情報データブロックＡの先頭トラックに向かう方向に４トラック（読取手段の数＋１）分だけジャンプさせるべきジャンプ指令信号をＣＰＵバス３０を介してスライダ機構２６に供給する。例えば、３つの読取手段ａ〜ｃのいずれか１つが、ディスク１回転前に読み取ったデータ又はアドレスを再度検出した場合にディスク１回転分の情報読取が終了したと判断して、上記ジャンプ指令信号をスライダ機構２６に供給するのである。
【００２２】
スライダ機構２６は、かかるジャンプ指令信号に応じて、ピックアップ２０をディスク内周方向において４トラック分だけトラックジャンプさせる。尚、ピックアップ２０がトラックジャンプしている間も記録ディスク２３は回転しているので、ジャンプ後のピックアップ２０の位置は前回の読取開始位置よりも先の位置、すなわち、図５（ｃ）に示される位置になる。
【００２３】
ここで、かかる図５（ｃ）に示される位置から、再び、読取手段ａ〜ｃ各々はディスク１回転分だけの情報読み取りを実施する。これにより、ピックアップ２０に搭載されている読取手段ａはトラック１３、読取手段ｂはトラック１４、読取手段ｃはトラック１５に対する情報読取を夫々実施する。
読取手段ａ〜ｃ各々は、この際得られた読取信号各々を情報データ再生回路２４ａ、２４ｂ、及び２４ｃ各々に供給する。情報データ再生回路２４ａ〜２４ｃ各々は、供給された読取信号を２値のディジタル信号に変換し、これを復調することにより元の情報データを再生する。データメモリ２５ａ、２５ｂ、及び２５ｃは、情報データ再生回路２４ａ、２４ｂ、及び２４ｃ各々によって再生された各情報データを順次書き込んで記憶して行く。従って、データメモリ２５ａ〜２５ｃ各々には、図５（ｃ）の位置からトラック１３〜１５各々を読み取って得られた情報データが夫々書き込まれる。つまり、データメモリ２５ａにはトラック１３の読み取りによって得られた情報データ、データメモリ２５ｂにはトラック１４の読み取りによって得られた情報データ、更に、データメモリ２５ｃにはトラック１５の読み取りによって得られた情報データが夫々書き込まれる。
【００２４】
尚、図５（ｃ）に示されるように、これらトラック１３〜１５各々からの情報読み取りを行うべくピックアップ２０が情報読み取りを開始した位置は、前回読み取りを開始した位置（破線にて示す位置）よりも読み取り方向に進んでいる。よって、記録ディスク２３が１回転して図５（ｄ）に示されるが如き位置にピックアップ２０が到達しても、図５（ｄ）の斜線にて示される区間に関しては、情報読み取りが為されない。
【００２５】
次に、ＣＰＵ３２は、かかる図５（ｄ）に示されるが如き位置から、ピックアップ２０をディスク内周方向、つまり情報データブロックＡの先頭トラックに向かう方向に４トラック（読取手段の数＋１）分だけジャンプさせるべきジャンプ指令信号をＣＰＵバス３０を介してスライダ機構２６に供給する。スライダ機構２６は、かかるジャンプ指令信号に応じて、ピックアップ２０をディスク内周方向において４トラック分だけトラックジャンプさせる。尚、ピックアップ２０がトラックジャンプしている間も、記録ディスク２３は回転しているので、ジャンプ後のピックアップ２０の位置は、前回の読取開始位置よりも先の位置、すなわち、図５（ｅ）に示される位置になる。
【００２６】
ここで、かかる図５（ｅ）に示される位置から、再び、読取手段ａ〜ｃ各々はディスク１回転分だけの情報読み取りを実施する。これにより、ピックアップ２０に搭載されている読取手段ａはトラック１０、読取手段ｂはトラック１１、読取手段ｃはトラック１２に対する情報読取を開始する。
読取手段ａ〜ｃ各々は、この際得られた読取信号を夫々情報データ再生回路２４ａ、２４ｂ、及び２４ｃ各々に供給する。情報データ再生回路２４ａ〜２４ｃ各々は、供給された読取信号を２値のディジタル信号に変換し、これを復調することにより元の情報データを再生する。データメモリ２５ａ、２５ｂ、及び２５ｃは、情報データ再生回路２４ａ、２４ｂ、及び２４ｃ各々によって再生された各情報データを順次書き込んで記憶して行く。従って、データメモリ２５ａ〜２５ｃ各々には、図５（ｅ）の位置からトラック１０〜１２各々を読み取って得られた情報データが夫々書き込まれる。つまり、データメモリ２５ａにはトラック１０の読み取りによって得られた情報データ、データメモリ２５ｂにはトラック１１の読み取りによって得られた情報データ、更に、データメモリ２５ｃにはトラック１２の読み取りによって得られた情報データが夫々書き込まれる。
【００２７】
以下、上述した図５（ｅ）及び図５（ｆ）の如き動作を情報データブロックＡの先頭トラックに到達するまで交互に繰り返し実行する。これにより、記録ディスク２３に記録されている情報データブロックＡは、その情報記録の為されている最終トラックから先頭トラックへと順に読み取られ、データメモリ２５ａ〜２５ｃ各々に分散して書き込まれて行くのである。
【００２８】
次に、ＣＰＵ３２は、これらデータメモリ２５ａ〜２５ｃ各々に分散して書き込まれた情報データの各々を所望の順に連結して読み出すべく、データメモリ２５ａ〜２５ｃ各々に対して交互にかつ繰り返し読出信号を供給する。これにより、データメモリ２５ａ〜２５ｃ各々に分散して記憶された情報データブロックＡは、所望の順番に連結されて誤り訂正回路２４５に供給され、この誤り訂正回路２４５による誤り訂正処理後、再生情報データとして出力される。
【００２９】
以上の如き再生動作によれば、図５（ｄ）及び図５（ｅ）の時点では情報読み取りが為されなかった斜線部にて示される区間は、図５（ｆ）の時点にて読取手段ｃが情報読み取りを行うことになるので、情報欠落区間が生じることはないのである。この際、かかる動作により、図５（ｄ）及び図５（ｆ）の太線部に示される区間は重複して読み取られることになるが、ＣＰＵ３２は、この区間において２度目に読み取られて再生された情報データは上記データメモリ２５には書き込まない。尚、このように重複して読み取ってしまった情報データをデータメモリ２５にそのまま書き込んでおき、その情報データ読み出し時にこの重複した情報データを読み出さないようにマスク処理を行うようにしても良い。
【００３０】
以上の如く、かかる実施例においては、３個の読取手段ａ〜ｃ各々によるディスク１周分の情報読み取り動作と、再生対象となる情報データブロックの最終トラックから先頭トラックに向う方向にピックアップ２０を４トラックジャンプせしめる動作とを交互に繰り返し実施することにより、情報欠落を生じさせることのない効率の良い高速情報再生を実現しているのである。
【００３１】
尚、上記実施例においては、読取手段の数が３個である場合を一例にとって説明したが、読取手段の数は３個に限定されるものではない。要するに、複数のＮ個（Ｎは自然数）の読み取り手段を用いてＮ個の隣接した螺旋状のトラック各々から同時に情報読み取りを行う際には、これら複数の読取手段各々によるディスク１周分の情報読み取り動作と、これら読取手段を情報データの最終トラックから先頭トラックに向かう方向に（Ｎ＋１）トラックジャンプせしめる動作とを交互に繰り返し実施するようにすれば良いのである。
【００３２】
又、上記図４及び図５に示される実施例においては、ピックアップを情報データブロックの最終トラック位置から先頭トラック位置へと逆方向にトラックジャンプさせているが、かかる方法に代わり、記録ディスク２３を逆回転させて時間的に逆方向から情報読み取りを実施するようにしても、情報欠落を生じさせることのない効率の良い高速情報再生が為される。
【００３３】
図６は、かかる点に鑑みて為された記録情報再生装置の他の構成を示す図である。
尚、図６に示される構成においては、情報データ反転再生回路４０ａ〜４０ｃを除く他の機能モジュールは、図２に示されている記録情報再生装置中の各機能ブロックと同一であるので、その説明は省略する。
【００３４】
図６における情報データ反転再生回路４０ａは、読取手段ａから供給された読取信号を順次２値のディジタル信号に変換し、これを時間的に逆方向から復調することにより元の情報データを再生してデータメモリ２５ａに供給する。又、情報データ反転再生回路４０ｂは、読取手段ｂから供給された読取信号を順次２値のディジタル信号に変換し、これを時間的に逆方向から復調することにより元の情報データを再生してデータメモリ２５ｂに供給する。更に、情報データ反転再生回路４０ｃは、読取手段ｃから供給された読取信号を順次２値のディジタル信号に変換し、これを時間的に逆方向から復調することにより元の情報データを再生してデータメモリ２５ｃに供給する。
【００３５】
尚、これら情報データ再生回路４０ａ〜４０ｃ各々は、互いに同一内部構成を有するものでありこれを図７に示す。
図７において、２値化回路２４０は、ピックアップ２０の読取手段から供給されるアナログの読取信号を例えば所定の敷値をもって２値のシリアルな再生ディジタル信号に変換し、これを同期検出回路２４１及びシリアル・パラレル変換回路２４２各々に供給する。尚、かかる２値化回路２４０としては、かかる読取信号をＡ／Ｄ変換してサンプル値化し、このサンプル値に対してビタビ復号を行って最も確からしい２値の再生ディジタル信号を得るような構成としても良い。同期検出回路２４１は、かかる再生ディジタル信号の物理セクタ中の各々から同期信号を検出した場合、その同期信号を検出している期間中だけリセット信号を発生し、これをシリアル・パラレル変換回路２４２及び分周カウンタ２４４各々に供給する。シリアル・パラレル変換回路２４２は、上記２値化回路２４０から供給されてくるシリアルな再生ディジタル信号を例えば１６ビットパラレルの再生ディジタル信号に変換し、これをメモリレジスタ２４３に供給する。尚、シリアル・パラレル変換回路２４２は、上記リセット信号が供給されている間はその記憶内容をリセットする。すなわち、シリアル・パラレル変換回路２４２は、再生ディジタル信号中から同期信号部を省いたデータ部のみを取り込み、これをパラレルデータに変換するのである。分周カウンタ２４４は、供給されてくるクロック信号のクロック周波数を例えば１／１６に分周し、この分周クロック信号をメモリレジスタ２４３に供給する。メモリレジスタ２４３は、かかる分周クロック信号に応じて上記シリアル・パラレル変換回路２４２から供給された１６ビットパラレルの再生ディジタル信号を取り込んで記憶し、これをビット順序反転器２６０に供給する。ビット順序反転器２６０は、かかるメモリレジスタ２４３から供給されてくる１６ビットパラレルの再生ディジタル信号をこの１６ビット毎にＭＳＢ（Most Significant Bit）〜ＬＳＢ（Least Significant Bit）のビット順序を反転させ、これを８／１６復調器２４４に供給する。８／１６復調器２４４は、このビット順序の反転した再生ディジタル信号に対して８／１６復調を施すことにより元の情報データを復元して出力する。
【００３６】
次に、上記図６に示される構成によって実施される記録ディスク２３からの情報再生動作についてを、図８に示されるピックアップ２０の移動動作をもって説明する。
尚、図８においては、記録ディスク２３に記録されている情報データブロックＡ（先頭トラック：１）を読み取ってこれを再生する際のピックアップ２０の動作を示す図である。
【００３７】
先ず、ＣＰＵ３２は、再生対象となる情報データブロックＡの先頭トラックの最後尾位置にピックアップ２０を移送させるべき位置制御信号をＣＰＵバス３０を介してスライダ機構２６に供給する。スライダ機構２６は、かかる位置制御信号に応じて、図８（ａ）に示されるが如き、情報データブロックＡの先頭トラック１の最後尾位置にピックアップ２０を移送する。ここで、ＣＰＵ３２は、スピンドルモータ２２を逆回転させるべき逆回転指令信号をＣＰＵバス３０を介してスピンドルモータ２２に供給する。かかる逆回転指令信号に応じてスピンドルモータ２２は、記録ディスク２３を逆回転駆動する。これにより、ピックアップ２０に搭載されている読取手段ａはトラック１、読取手段ｂはトラック２、読取手段ｃはトラック３に対し、各トラックの最後尾から先頭部へと逆方向に情報読取を開始する。
【００３８】
読取手段ａ〜ｃ各々は、この逆回転によって読み取られた読取信号各々を情報データ反転再生回路４０ａ〜４０ｃ各々に供給する。情報データ反転再生回路４０ａ〜４０ｃ各々は、供給されてくる読取信号を順次２値のディジタル信号に変換し、これを時間的に逆方向から復調することにより元の情報データを再生して夫々データメモリ２５ａ、２５ｂ、及び２５ｃに供給する。従って、データメモリ２５ａ〜２５ｃ各々には、トラック１〜３各々の読み取りによって得られた情報データが夫々書き込まれる。
【００３９】
ここで、記録ディスク２３が１回転して図８（ｂ）に示されるが如き位置にピックアップ２０が到達すると、ＣＰＵ３２は、ピックアップ２０をディスク外周方向、すなわち情報データブロックＡの最終トラックに向かう方向に４トラック（読取手段の数＋１）分だけジャンプさせるべきジャンプ指令信号をＣＰＵバス３０を介してスライダ機構２６に供給する。スライダ機構２６は、かかるジャンプ指令信号に応じて、ピックアップ２０をディスク外周方向において４トラック分だけトラックジャンプさせる。尚、ピックアップ２０がトラックジャンプしている間も、記録ディスク２３は回転しているので、ジャンプ後のピックアップ２０の位置は、前回の読取開始位置よりも読み取り方向に対して進んだ位置、すなわち、図８（ｃ）に示される位置になる。
【００４０】
ここで、かかる図８（ｃ）に示される位置から、再び、読取手段ａ〜ｃ各々は通常の読み取り方向とは逆方向にディスク１回転分だけの情報読み取り動作を行う。これにより、ピックアップ２０に搭載されている読取手段ａはトラック４、読取手段ｂはトラック５、読取手段ｃはトラック６に対し、各トラックの最後尾から先頭部へと逆方向に情報読取を開始する。読取手段ａ〜ｃ各々は、この逆回転によって読み取られた読取信号各々を情報データ反転再生回路４０ａ〜４０ｃ各々に供給する。情報データ反転再生回路４０ａ〜４０ｃ各々は、読取信号を順次２値のディジタル信号に変換し、これを時間的に逆方向から復調することにより元の情報データを再生して夫々データメモリ２５ａ、２５ｂ、及び２５ｃに供給する。従って、データメモリ２５ａ〜２５ｃ各々には、トラック４〜６各々の読み取りによって得られた情報データが夫々書き込まれる。
【００４１】
以下、上述した如き図８（ｃ）及び図８（ｄ）の如き動作を情報データブロックＡの最終トラックに到達するまで交互に繰り返し実行する。
このように、記録ディスク２３に記録された情報データに対して時間的に反対方向から読み取りを行うようにすれば、トラックジャンプを行っても上記図１（ｃ）の斜線部の区間に示されるが如き情報欠落区間が生じないので、効率の良い高速情報再生が為されるのである。
【図面の簡単な説明】
【図１】  従来の記録情報再生方法を示す図である。
【図２】  記録情報再生装置の構成を示す図である。
【図３】情報データ再生回路２４の内部構成を示す図である。
【図４】  本発明による記録情報再生方法に基づくピックアップの移動動作を説明する為の図である。
【図５】  本発明による記録情報再生方法に基づくピックアップの移動動作を説明する為の図である。
【図６】  記録情報再生装置の他の構成を示す図である。
【図７】  情報データ反転再生回路４０の内部構成を示す図である。
【図８】  図６に示される構成において実施されるピックアップの移動動作を説明する為の図である。
【主要部分の符号の説明】
２０  ピックアップ
２２  スピンドルモータ
２３  記録ディスク
24a〜24c   情報データ再生回路
25a〜25c   データメモリ
２６  スライダ機構
３１  ＲＯＭ
３２  ＣＰＵ
40a〜40c   情報データ反転再生回路
【図１】
0003693313.tif 000002
【図２】
0003693313.tif 000003
【図３】
0003693313.tif 000004
【図４】
0003693313.tif 000005
【図５】
0003693313.tif 000006
【図６】
0003693313.tif 000007
【図７】
0003693313.tif 000008
【図８】
0003693313.tif 000009